(57)【要約】【課題】本願発明の課題は、従来の問題を解決することであり、すなわち、斜材や方杖材の設置の際に溶接作業を必要とせず、しかも柱材や梁材の表面に段差を生じていても採用可能である、骨組構造、及び骨組構造の補強方法を提供することである。【解決手段】本願発明の骨組構造は、少なくとも柱材と梁材と補強材を含む構造である。柱材又は梁材には接合部が設けられており、補強材はこの接合部に連結される。接合部が設けられる柱材等は、平坦面を有する構成部材を含む構成であって、２つの構成部材の平坦面が段差を生じて略平行となるよう組み合わされたものである。接合部は、不陸調整板、ガセットプレート、剥離防止手段を備えており、不陸調整板は、構成部材のうち一方の構成部材の平坦面に取り付けられ、不陸調整板と他方の構成部材の平坦面によって略同一平面からなる接着面を形成する。【選択図】図４
2015151777.tif 000002
【特許請求の範囲】
【請求項１】
柱材と梁材と補強材を有する骨組構造において、
前記補強材の一端又は両端は、前記柱材又は前記梁材に設けた接合部に連結され、
前記接合部が設けられた前記柱材又は前記梁材は、平坦面を有する複数の構成部材を含み、このうち少なくとも２つの構成部材の平坦面が段差を生じて平行又は略平行となるよう組み合わされたものであり、
前記接合部は、不陸調整板と、前記補強材を連結するガセットプレートと、剥離防止手段と、を備え、
前記不陸調整板は、前記組み合わされた２つの構成部材のうち一方の構成部材の前記平坦面に取り付けられ、該不陸調整板及び他方の構成部材の平坦面によって同一平面又は略同一平面からなる接着面を形成し、
前記ガセットプレートは、前記柱材又は前記梁材のうちの前記接着面に接着され、
前記剥離防止手段は、前記ガセットプレートと対向プレートによって前記構成部材の一部を挟持するとともに、該ガセットプレートと該対向プレートをボルトで締め付けた、ことを特徴とする骨組構造。
【請求項２】
前記接合部が設けられた前記柱材又は前記梁材は、山形鋼又は溝形鋼からなる構成部材と、中央プレート又はラチス材と、を含み、
前記中央プレート又はラチス材の端部を、前記構成部材で固定した構成である、ことを特徴とする請求項１記載の骨組構造。
【請求項３】
前記不陸調整板は、前記構成部材の前記平坦面に接着され、該不陸調整板の板厚と接着剤の塗布厚との総厚が、前記組み合わされた２つの構成部材の平坦面からなる前記段差と等しい又は略等しい、ことを特徴とする請求項１又は請求項２記載の骨組構造。
【請求項４】
柱材と梁材を有する骨組構造に補強材を設置する骨組構造の補強方法において、
平坦面を有する複数の構成部材を含むとともに、少なくとも２つの該構成部材の平坦面が段差を生じて平行又は略平行となるよう組み合わされた前記柱材又は前記梁材に、接合部を設置する接合部設置工程と、
前記補強材の一端又は両端を、前記接合部を構成するガセットプレートに連結する補強材連結工程と、を備え、
さらに前記接合部設置工程は、不陸調整板取付工程と、ガセットプレート接着工程と、剥離防止工程と、を有し、
前記不陸調整板取付工程では、前記組み合わされた２つの構成部材のうち一方の構成部材の前記平坦面に不陸調整板を取り付け、該不陸調整板及び他方の構成部材の平坦面によって同一平面又は略同一平面からなる接着面を形成し、
前記ガセットプレート接着工程では、前記ガセットプレートを前記柱材又は前記梁材のうちの前記接着面に接着し、
前記剥離防止工程では、前記ガセットプレートと対向プレートによって前記構成部材の一部を挟むように該対向プレートを配置するとともに、該ガセットプレートと該対向プレートをボルトで締め付ける、ことを特徴とする骨組構造の補強方法。
【請求項５】
前記不陸調整板取付工程では、前記不陸調整板を前記構成部材の前記平坦面に接着し、該不陸調整板の板厚と接着剤の塗布厚との総厚が、前記組み合わされた２つの構成部材の平坦面からなる前記段差と等しく又は略等しくなるように、該接着剤を塗布する、ことを特徴とする請求項４記載の骨組構造の補強方法。
【発明の詳細な説明】
【技術分野】
【０００１】
本願発明は、柱や梁などからなる骨組構造に関するものであり、より具体的には、補強材を設けることで補強された骨組構造、及び骨組構造を補強材で補強する方法に関するものである。
【背景技術】
【０００２】
我が国は地震が頻発する国として知られ、近年では、東北地方太平洋沖地震や、兵庫県南部地震、新潟県中越地震など大きな地震が発生し、そのたびに様々な施設で甚大な被害を被ってきた。例えば工場などの生産施設は、地震による被害を受けると生産機能が停止し、機能を回復するまで関連する企業も含め大きな影響を受けることとなる。
【０００３】
このような生産施設の建物では、一般的に、Ｈ形鋼や鋼管など鉄骨を主体とするいわゆる鉄骨構造で構築されている。図８（ａ）は、代表的な鉄骨構造の一部を示す側面図であり、この図に示すように鉄骨構造は、床面ＦＬから立ち上がる柱材Ｐと梁材Ｂからなるのが基本構造である。
【０００４】
この基本構造には、耐震などの目的から補強材が設置されることがある。補強材の代表例として図８（ａ）に示すような斜材Ｃを挙げることができる。斜材Ｃは、山形鋼や溝形鋼、Ｈ形鋼、鋼管あるいは鋼棒などが用いられることが多く、これを配置することによって柱材Ｐと梁材Ｂで構成される骨組構造が補強され、その結果、外力に対してより強く抵抗できる。補強材の他例としては、方杖材を挙げることができる。柱材ＰがＨ形鋼のように方向性を持つ部材である場合、斜材Ｃが柱材Ｐの弱軸方向を補強するのに対して、方杖材は柱材Ｐの強軸方向を補強する部材である。方杖材には、斜材Ｃと同様、山形鋼や溝形鋼などが用いられる。
【０００５】
従来の斜材Ｃは、図８（ａ）に一例を示すように、対角状に配置（斜方向に配置する場合もある）されるとともに、その端部が柱材Ｐと梁材Ｂからなる隅角部に固定されていた。図８（ｂ）は、斜材Ｃの端部を固定した詳細を示す図である。この図に示すように、隅角部にはガセットプレートＧｐが溶接固定され、このガセットプレートＧｐに斜材Ｃの端部がボルト固定される。一方、方杖材の場合は、柱材Ｐや梁材Ｂの表面に溶接固定されたガセットプレートＧｐに、方杖材の端部がボルト固定される。このように、従来の方法によれば斜材Ｃや方杖材を設置するため溶接作業を必要としていた。
【０００６】
斜材Ｃや方杖材は、あらかじめ柱材Ｐや梁材Ｂと同時に設置される場合もあるが、供用中の鉄骨造建物を補強する目的で事後的に設置されることもある。事後的に斜材Ｃや方杖材を設置する場合、その設置作業に欠かせない溶接作業が問題になることがある。すなわち、溶接作業は火気を伴うため、供用中の鉄骨造建物内（以下、単に「室内」という。）に引火しやすい物を保管しているなど、火気を敬遠している場合にはこの溶接作業を行うことができない。また、稼働中の生産施設である場合、生産工程に影響を及ぼすためやはり溶接作業は避ける方が良い。さらに、既存の鉄骨構造が溶接に不向きな部材で構成されている場合、溶接できないため斜材Ｃや方杖材を設置することは困難となる。なお溶接に不向きな部材とは、例えば、溶接時の熱に耐えられない薄肉部材などである。
【０００７】
そこで特許文献１では溶接作業に伴う難点を解消すべく、溶接を必要としない鉄骨構造の補強技術を提案している。
【先行技術文献】
【特許文献】
【０００８】
【特許文献１】特開２０１３−１７７７９７号公報
【発明の概要】
【発明が解決しようとする課題】
【０００９】
特許文献１は、ガセットプレートＧｐを柱材Ｐや梁材Ｂの表面に接着することで溶接作業を不要とし、また、剥離防止手段を具備することで接着の弱点である剥離を防止している。図９は、特許文献１に示す発明の一例を示す部分詳細図である。特許文献１の発明を採用すれば、稼働中の生産施設の鉄骨構造や、溶接に不向きな部材で構成されている鉄骨構造であっても、事後的に斜材Ｃや方杖材で補強することができる。
【００１０】
ところで特許文献１の発明は、柱材Ｐや梁材Ｂの表面にガセットプレートＧｐを接着するため、柱材Ｐや梁材Ｂの表面（特に接着する面）が平坦面であることが望ましい。例えばＨ形鋼のフランジ表面や角形鋼管の表面などは、ガセットプレートＧｐの接着に適している。しかしながら、表面が平坦面であるＨ形鋼や角形鋼管がそのまま柱材Ｐや梁材Ｂとして利用される場合に限らず、複数の部材を組み合わせて柱材Ｐや梁材Ｂを構成することもあり、このような柱材Ｐや梁材Ｂの表面には段差が生じるケースがある。
【００１１】
図２は、山形鋼を組み合わせた柱材Ｐを示す斜視図である。この図に示す柱材Ｐは、鋼板（プレート）の両端それぞれを２本一組の山形鋼で挟み、山形鋼とプレートを貫通するボルトで固定したものである。この柱材ＰにおけるＨ形鋼フランジに相当する表面は、２本一組の山形鋼で形成され、本来は平坦面となるはずであるが、ボルト孔の位置精度によっては２本の山形鋼の間に相当の段差を生じることがある。段差がある状態でガセットプレートＧｐを接着するとなると、他方よりも奥まった山形鋼の表面にはその段差分だけ厚く接着剤が塗布されることとなる。厚く塗布された接着剤はその状態を維持し難く（いわゆる「ダレやすく」）接着作業の施工性に劣るうえ、接着強度も低下する傾向にある。したがって、このような柱材Ｐに特許文献１の発明を採用することは難しく、溶接作業を必要とする従来技術の問題を適切に解決することができない。
【００１２】
本願発明の課題は、従来の問題を解決することであり、すなわち、斜材や方杖材の設置の際に溶接作業を必要とせず、しかも柱材や梁材の表面に段差を生じていても採用可能である、骨組構造、及び骨組構造の補強方法を提供することである。
【課題を解決するための手段】
【００１３】
本願発明は、接着によってガセットプレートを柱材又は梁材（以下、「柱材等」という。）に取り付けるとともに、ガセットプレートの剥離防止も図り、さらに柱材等の表面に生じた段差をあらかじめ解消しておく、という発想に基づいて行われたものである。
【００１４】
本願発明の骨組構造は、少なくとも柱材と梁材と補強材を含む構造である。柱材等には接合部が設けられており、補強材の一端（又は両端）はこの接合部に連結される。接合部が設けられる柱材等は、平坦面を有する複数の構成部材を含み、このうち少なくとも２つの構成部材の平坦面が段差を生じて略平行（平行含む）となるよう組み合わされたものである。接合部は、不陸調整板と、補強材を連結するためのガセットプレートと、剥離防止手段を備えており、このうち不陸調整板は、組み合わされた２つの構成部材のうち一方の構成部材の平坦面に取り付けられ、不陸調整板と他方の構成部材の平坦面によって略同一平面（同一平面含む）からなる「接着面」を形成する。そしてこの接着面に、ガセットプレートは接着固定され、離防止手段は、ガセットプレートと対向プレートによって構成部材の一部を挟持し、その状態でガセットプレートと対向プレートがボルト固定される。
【００１５】
本願発明の骨組構造は、接合部が設けられる柱材等を、山形鋼又は溝形鋼を用いたものとすることもできる。この場合、接合部が設けられる柱材等は、山形鋼又は溝形鋼からなる構成部材と、中央プレート又はラチス材を含み、中央プレート又はラチス材の端部を少なくとも２つの構成部材で挟持して（あるいは中央プレートやラチス材の端部を一つの山形鋼に重ね合わせて）固定した構成である。
【００１６】
本願発明の骨組構造は、不陸調整板と構成部材の平坦面によって形成される接着面を略同一平面（同一平面含む）とするため、適切な厚さの接着剤を塗布したものとすることもできる。この場合、不陸調整板の板厚と接着剤の塗布厚との総厚が、組み合わされた２つの構成部材の平坦面からなる段差と略等厚（等厚含む）となるように接着剤を塗布する。
【００１７】
本願発明の骨組構造の補強方法は、少なくとも柱材と梁材を含む骨組構造を補強する方法であり、接合部を柱材等に設置する工程（接合部設置工程）と、接合部のうちガセットプレートに補強材の一端（又は両端）を連結する工程（補強材連結工程）を備えている。なお、接合部を設置する柱材等は、平坦面を有する複数の構成部材を含むとともに、少なくとも２つの構成部材の平坦面が段差を生じて略平行（平行含む）となるよう組み合わされたものである。接合部設置工程は、不陸調整板取付工程と、ガセットプレート接着工程と、剥離防止工程を有しており、このうち不陸調整板取付工程では、組み合わされた２つの構成部材のうち一方の構成部材の平坦面に不陸調整板を取り付け、この不陸調整板と他方の構成部材の平坦面によって略同一平面（同一平面含む）からなる接着面を形成する。また、ガセットプレート接着工程では、柱材等の接着面にガセットプレートを接着し、剥離防止工程では、ガセットプレートと対向プレートによって構成部材の一部を挟むように対向プレートを配置するとともに、これらガセットプレートと対向プレートをボルトで締め付ける。
【００１８】
本願発明の骨組構造の補強方法は、不陸調整板と構成部材の平坦面によって形成される接着面を略同一平面（同一平面含む）とするため、適切な厚さの接着剤を塗布する方法とすることもできる。この場合の不陸調整板取付工程では、不陸調整板の板厚と接着剤の塗布厚との総厚が、組み合わされた２つの構成部材の平坦面からなる段差と略等厚（等厚含む）となるように接着剤を塗布する。
【発明の効果】
【００１９】
本願発明の「骨組構造、及び骨組構造の補強方法」には、次のような効果がある。
（１）補強材を設置するので、柱材と梁材のみの骨組構造に比して、高い強度の構造が得られる。その結果、地震等の外力に対する抵抗力が向上し、より安心して鉄骨造建物等を利用することができる。
（２）溶接作業を必要としないので火災の心配がなく、あらゆる鉄骨造建物等に採用することができる。例えば、引火しやすい物を保管している倉庫や、薬品を取り扱う施設などにも採用することができる。
（３）また、溶接作業を必要としないので室内へ与える影響が小さく、対象が生産施設などの場合、継続して生産活動を行うことができる。
（４）剥離防止手段を備えているので、面外方向の外力によってガセットプレートが剥離するのを防止することができる。
（５）柱材や梁材の表面に段差がある場合でも、接着剤を厚く（例えば段差を埋める厚さ）塗布する必要がない。したがって、塗布する際に接着剤がダレにくいことから接着作業が容易となり、また適切な厚さ（例えば３ｍｍ以内）で接着剤を塗布できるので所定の強度を十分発揮することができる。
【図面の簡単な説明】
【００２０】
【図１】（ａ）は斜材を設置した場合の骨組構造の一例を示す側面図、（ｂ）は方杖材を設置した場合の骨組構造の一例を示す側面図。
【図２】構成部材を組み合わせた柱材を示す斜視図。
【図３】（ａ）は柱材の構成部材が山形鋼である場合の断面図、（ｂ）は柱材の構成部材が溝形鋼である場合の断面図。
【図４】接合部の詳細を説明するための図で、一部を切り欠いた斜視図。
【図５】（ａ）は不陸調整板を取り付けた状態を示す斜視図、（ｂ）は不陸調整板を取り付けた状態を示す断面図。
【図６】ガセットプレートを接着固定するため、不陸調整板と構成部材からなる接着面に、接着剤が塗布された状態を示す斜視図。
【図７】方杖材を連結する接合部の詳細を説明するための図で、一部を切り欠いた斜視図。
【図８】（ａ）は従来の代表的な鉄骨構造の一部を示す側面図、（ｂ）は溶接固定したガセットプレートに斜材端部を連結した状態を示す部分詳細図。
【図９】ガセットプレートを接着する鉄骨構造の補強技術の一例を示す部分詳細図。
【発明を実施するための形態】
【００２１】
本願発明の骨組構造、及び骨組構造の補強方法の例を図に基づいて説明する。
【００２２】
１．全体概要
図１は、本願発明の骨組構造の一例を示す側面図であり、（ａ）は斜材３１を設置した場合、（ｂ）は方杖材３２を設置した場合の側面図である。この骨組構造は、オフィスビルや工場施設といった建造物を構成する主要構造の一部であり、柱材１０、梁材２０、そして斜材３１や方杖材３２といった補強材３０によって形成される。図１に示すように、２本の柱材１０は床面ＦＬから略鉛直に立ち上げられ、梁材２０は床面から離れた位置で略水平に配置され、補強材３０は柱材１０と梁材２０からなるフレーム内（面内）に対角状あるいは斜方向に設置される。
【００２３】
２本の柱材１０の間隔や床面ＦＬから梁材２０までの高さは、対象となる建造物に応じて適宜設計することができるが、通常の生産施設の場合、柱材１０の間隔として５〜６ｍ、梁材２０の設置高さとして３〜４ｍを例示することができる。図１は、あくまで本願発明を示す一例であって、本願発明の技術的特徴を備えていれば、この図に限らずあらゆる配置が本願発明に含まれる。
【００２４】
補強材３０（斜材３１や方杖材３２）は、建造物の建設時から柱材１０や梁材２０とともに設置することもできるが、既に供用している建造物を補強する目的で事後的に設置することもできる。いずれにしろこの補強材３０の端部は、図１に示すように、柱材１０や梁材２０の表面に接着固定されたガセットプレート４１にボルトで固定される。なお、ガセットプレート４１が接着される柱材１０や梁材２０は、山形鋼や溝形鋼など（以下、「構成部材１１」という。）を組み合わせたものであり、例えば図２に示すように中央プレート１２の両端それぞれを２本一組の山形鋼１１ａ（構成部材１１）で挟み、この山形鋼１１ａと中央プレート１２を貫通するボルト１３で固定して形成される。
【００２５】
複数の構成部材１１からなる柱材１０や梁材２０は、複数の構成部材１１の平坦面を略平行に配置した合成面を有しており、この合成面は例えばＨ形鋼のフランジに相当するものでガセットプレート４１が接着される面となる。なお、この合成面は本来一様な平面となるはずであるが、製作精度によっては構成部材１１の平坦面どうしにずれが生じ、つまり合成面に相当の段差が設けられる。段差がある状態でガセットプレート４１を接着すると、既述のとおり種々の問題があることから、この段差を解消すべく他方よりも奥まった構成部材１１の平坦面には不陸調整板が設置される。この不陸調整板と、他方の構成部材１１（不陸調整板が設置されていない構成部材１１）の平坦面によって、略一様な平坦面が形成され、これを接着面としてガセットプレート４１が接着される。
【００２６】
以下、本願発明を構成する主要な要素ごとに詳述する。
【００２７】
２．柱材
柱材１０は、鉛直及び水平荷重による曲げモーメント、せん断力や軸力に対して抵抗する部材であり、梁材２０を支持する支点としての働きもある。既述のとおり、少なくともガセットプレート４１が接着される柱材１０は、構成部材１１を組み合わせたものであり、図２の斜視図に示す構成となる。つまり、Ｈ形鋼の腹板（ウェブ）に相当する中央プレート１２を鉛直方向に配置し、その両端をそれぞれ２本１組の山形鋼１１ａ（構成部材１１）で挟み込み（あるいは、一つの山形鋼１１ａに中央プレート１２を重ね合わせて）、さらに２本の山形鋼１１ａと中央プレート１２にボルト１３を挿通して締め付けて柱材１０は形成され、床面に敷かれた台座プレート上に設置される。なお、２組の山形鋼１１ａの間に、中央プレート１２に沿うように補強用の山形鋼１４が一般的に設置されている。
【００２８】
図２に示すように、２本を１組とする山形鋼１１ａは双方の平坦面が略平行（平行含む）に組み合わされ、これら２つの平坦面によって合成面が形成される。この合成面は、Ｈ形鋼のフランジに相当するが、一様な平面ではなく、双方の平坦面の間には段差が生じている。図３（ａ）は、柱材１０の構成部材１１が山形鋼１１ａである場合の断面図である。この図の例では、左側の山形鋼１１ａの平坦面に比べると、右側の山形鋼１１ａの平坦面の方が奥まって（部材断面の中心側に）配置され、双方の平坦面には段差があることが分かる。また図３（ｂ）は、柱材１０の構成部材１１が溝形鋼１１ｃである場合の断面図であり、この場合も左側に比べ右側の溝形鋼１１ｃの平坦面の方が奥まって配置されているため、双方の平坦面には段差が生じている。
【００２９】
３．梁材
梁材２０は、おもに鉛直荷重による曲げモーメントやせん断力に対して抵抗する部材である。柱材１０と同様、少なくともガセットプレート４１が接着される梁材２０は、構成部材１１を組み合わせたものであり、２本を１組とする山形鋼１１ａ（あるいは溝形鋼１１ｃ）の平坦面からなる合成面には、やはり段差が生じている。
【００３０】
４．補強材
補強材３０は、柱材１０と梁材２０で構成される骨組架構を補強するもので、具体的には斜材３１や方杖材３２といった部材である。図１（ａ）に示す補強材３０は、主軸（柱材１０の軸と梁材２０の軸からなる）に対して角度をもって配置されることから斜材あるいはブレース材とも呼ばれる。一方、図１（ｂ）に示す補強材３０は、梁材２０を下方から支持して補強するもので、方杖材と呼ばれる。補強材３０は、おもに軸引張力や軸圧縮力が作用することから、部材軸方向に相当の強度を有する部材が用いられ、例えば、溝形鋼や山形鋼あるいは鋼棒などが例示できるが、そのほかＨ形鋼や鋼管など種々の部材を使用することができる。なお、補強材３０として鋼棒を使用する場合、部材途中にターンバックルを設け、長さ調整を可能にすることもできる。
【００３１】
通常、斜材３１は支柱１０又は梁材２０（以下、「柱材１０等」という。）の弱軸方向を補強するよう配置される。すなわち斜材３１は、柱材１０及び梁材２０で構成される「架構面」に設置されるが、この「架構面」の面内方向は支柱１０等の弱軸方向と一致する。なお、構成部材１１を組み合わせた支柱１０等の場合、既述のとおり合成面がＨ形鋼のフランジに相当し、中央プレート１２がウェブに相当することから、中央プレート１２の面方向が支柱１０等の強軸方向、これと直交するのが弱軸方向となる。また、方杖材３２は通常支柱１０等の強軸方向を補強するよう配置される。すなわち方杖材３２は、柱材１０及び梁材２０で構成される「架構面」に設置されるが、この「架構面」の面内方向は支柱１０等の強軸方向と一致する。
【００３２】
５．接合部
図４〜図７は補強材３０を柱材１０等に取り付けるための接合部４０を示す詳細図である。この接合部４０は、図４に示すように、少なくとも不陸調整板４２と、ガセットプレート４１、剥離防止手段で構成される。なお、図４〜図７は接合部４０が柱材１０に設けられた場合を示しているが、これに限らず接合部４０を梁材２０に設けることもできる。例えば、水平方向に配置した斜材３１（いわゆる水平ブレース）を梁材２０間に取り付けることができ、具体的には、斜材３１の一端を梁材２０に設けられた斜材用の接合部４０に取り付け、斜材３１の他端を他の梁材２０の斜材用の接合部４０に取り付ける。以下、接合部４０を構成する部材ごとに詳しく説明する。
【００３３】
（不陸調整板）
図５は、不陸調整板４２を取り付けた状態を示す図であり、（ａ）はその斜視図、（ｂ）はその断面図である。この図に示すように不陸調整板４２は、構成部材１１を組み合わせた柱材１０等のうち合成面に生じた段差を埋めるもので、他方よりも奥まった構成部材１１の平坦面に設置される。この不陸調整板４２を設置することで、他方の構成部材１１の平坦面、及びこの不陸調整板４２によって、略一様な平坦面である「接着面」が形成される。
【００３４】
不陸調整板４２は、片面に接着剤が塗布されて柱材１０等の表面に貼り付けられる。この場合、不陸調整板４２の片面全体に接着剤を塗布することもできるが、設計上必要な面積に塗布することができれば当該片面のうち一部にのみ接着剤を塗布してもよい。また、接着剤の塗布厚も適宜設計により定めることができるが、鉛直面に塗布することからできる限り薄く塗布することが望ましく、３ｍｍ以内の塗布厚とするのがより好ましい。なお、不陸調整板４２が段差を解消するためのものであることから、図５（ｂ）に示すように、不陸調整板４２の板厚と接着剤の塗布厚との総厚が、当該段差と略等しい（等しい場合を含む）寸法となるよう設計することが望ましい。つまり、１組の構成部材１１の平坦面からなる合成面に生じた段差と、不陸調整板４２の板厚との差が３ｍｍ以内となるよう設計し、この差の分だけ接着剤を塗布すると好適である。
【００３５】
柱材１０等の表面に不陸調整板４２を貼り付ける際、ショットブラストやワイヤーブラシ等により柱材１０等の表面と不陸調整板４２の貼付面を凹凸に仕上げると、より堅固に接着できるため好適となる。このときの表面粗さの目安としては、Ｒｚ（十点平均粗さ）３０以上とするのが好ましい。
【００３６】
ここで使用する接着剤は、従来から用いられているものの中から任意に選択できるが、垂直面に塗布してもその状態を維持しやすい（いわゆる「ダレない」）ものが望ましく、例えば二液混合形のエポキシ系接着剤を示すことができる。また、２４時間以内に硬化する接着剤を選択すると、後続の工程に与える影響を抑えることができるので、さらに好適である。
【００３７】
（ガセットプレート）
ガセットプレート４１は、図６に示すように、不陸調整板４２、及び構成部材１１の平坦面（不陸調整板４２を設置しない方）からなる接着面に塗布された接着剤によって接着固定されるもので、接着部と連結部を備えている。接着部は接着面に接触する部分であり、連結部は補強材３０の端部を実際に取り付ける部分である。なお、ガセットプレート４１の接着に関しては、不陸調整板４２と柱材１０等の接着で説明した接着方法や、接着剤、設計手法と同様である。
【００３８】
斜材３１を連結するためのガセットプレート４１（以下、「斜材用ガセットプレート４１」という。）は、図４に示すように、一つの材料（例えば、１枚の鋼板など）で接着部と連結部を形成する。接着面に接触して接着される部分が接着部であり、柱材１０等から張り出し斜材３１と連結する部分が連結部となる。既述のとおり斜材３１を設置する面内方向は柱材１０等の弱軸方向と一致し、柱材１０等の接着面に斜材用ガセットプレート４１は接着される。つまり、斜材用ガセットプレート４１は、柱材１０等のうち面内方向と略平行（平行含む）な接着面に接着される。
【００３９】
一方、方杖材３２を連結するためのガセットプレート４１（以下、「方杖材用ガセットプレート４１」という。）は、図７に示すように、接着プレート４１ａと連結プレート４１ｂの二つの材料（例えば、２枚の平鋼など）からなり、接着プレート４１ａに接着部が形成され、連結プレート４１ｂに連結部が形成される。連結プレート４１ｂは、接着プレート４１ａに略垂直（垂直含む）に突き当てられ、工場等で溶接固定される。既述のとおり方杖材３２を設置する面内方向は柱材１０等の強軸方向と一致し、柱材１０等の接着面に方杖材用ガセットプレート４１は接着される。つまり、方杖材用ガセットプレート４１は、柱材１０のうち面内方向と略垂直（垂直含む）な接着面に接着される。
【００４０】
（剥離防止手段）
設計上求められた接着面積を確保して接着固定すれば、接着面がずれようとするせん断方向の荷重に対してガセットプレート４１が柱材１０等から剥離することはない。例えば、斜材３１の場合は主に水平方向をせん断方向とするずれ、方杖材３２の場合は主に鉛直方向をせん断方向とするずれに対しては、それぞれ防止することができる。しかしながら、接着面を引き剥がそうとする方向、つまりガセットプレート４１に垂直な方向（以下、「接着面外方向」という。）に作用する外力に対して剥離しないだけの接着量（接着面積）を算定することは難しく、換言すれば、接着固定だけで接着面外方向の外力に抵抗することは極めて困難である。図１のような骨組構造は、様々な方向からの荷重を受け、当然ながら接着面外方向の外力が作用することも想定される。そうすると柱材１０等は接着面外方向に曲げ変形を生じ、平面状のガセットプレート４１とは接触できない部分が現れ、その結果、ガセットプレート４１の剥離が始まる。そこで、接着面外方向から力を受けた場合でも、柱材１０等からガセットプレート４１が剥がれないよう剥離防止手段を設置するわけである。
【００４１】
剥離防止手段の基本構造は、ガセットプレート４１と他のプレート（以下、「対向プレート４３」という。）で柱材１０等の一部を挟み込み、ボルトによって締め付けるものである。図４や図７で説明すると、山形鋼１１ａの内側に対向プレート４３を配置し、つまりこの対向プレート４３とガセットプレート４１で山形鋼１１ａの一部を挟持し、その状態でボルト締めを行う。この場合のボルトは、普通ボルトを用いることができる。
【００４２】
剥離防止手段について、さらに詳しく説明する。図４や図７に示すように剥離防止手段は、対向プレート４３と締付ボルト４４で構成されている。この締付ボルト４４は、山形鋼１１ａから外れたところで挿通される（山形鋼１１ａは貫通しない）。つまり、対向プレート４３には、山形鋼１１ａを挟み込むための接触部分と、締付ボルト４４挿通のため山形鋼１１ａとは重ならない張り出し部分があり、この張り出し部分にボルト孔が設けられ、一方のガセットプレート４１にも締付ボルト４４挿通のためのボルト孔が設けられる。このようにガセットプレート４１に設けられたボルト孔と、対向プレート４３の張り出し部分にあるボルト孔それぞれの位置を合わせて締付ボルト４４が挿通される。
【００４３】
ガセットプレート４１と、対向プレート４３の張り出し部分との間には、当然ながら山形鋼１１ａがない。すなわち、ガセットプレート４１と対向プレート４３の間には、部分的に隙間ができる。この隙間には、図７に示すようにスペーサ４５を介在させることができる。このスペーサ４５にもボルト孔を設け、スペーサ４５を挟んだうえでガセットプレート４１と対向プレート４３を締付ボルト４４で締め付けると、より強固に締め付けることができる。
【００４４】
６．補強材とガセットプレートの取り付け
斜材用ガセットプレート４１のうちの連結部には、斜材３１の端部が連結される。この連結部にはボルト孔が設けられ、同じく斜材３１端部にもボルト孔が設けられており、双方のボルト孔を合わせて高力ボルト５０によって締め付けられる。一方、方杖材用のガセットプレート４１は、既述のとおり接着プレート４１ａと連結プレート４１ｂで構成されており、このうち連結プレート４１ｂに方杖材３２の端部が連結される。連結プレート４１ｂにはボルト孔が設けられ、同じく方杖材３２端部にもボルト孔が設けられており、双方のボルト孔を合わせて高力ボルト５０によって締め付けられる。ここで使用されるボルトは、状況によって普通ボルトを使用することもできるが、原則は高力ボルトによる摩擦接合とされる。なお高力ボルトであれば、摩擦接合用高力六角ボルト、構造用トルシア形高力ボルト、溶融亜鉛メッキ高力ボルト、など従来のものの中から適宜選択できる。
【００４５】
７．骨組構造の補強方法
山形鋼１１ａを組み合わせた支柱１０に斜材３１を取り付けることで、柱材１０と梁材２０からなる骨組構造を補強する場合を例に、本願発明の骨組構造の補強方法を説明する。
はじめに、補強対象となる既設の支柱１０について説明する。この支柱１０は、鉛直方向に配置された中央プレート１２の両端を、それぞれ２本１組の山形鋼１１ａ（構成部材１１）で挟み込み、これら２本の山形鋼１１ａと中央プレート１２にボルト１３を挿通して締め付けられた構造であり、床面ＦＬ上に敷設した台座プレートの上に設置されている。なお支柱１０は、山形鋼等によるラチス材でフランジを形成し、両フランジに山形鋼１１ａを取り付けた構造としてもよい。
以下、各工程について説明する。
次に、２本の山形鋼１１ａの平坦面で構成される合成面に生じた段差を埋めるため、他方よりも奥まった山形鋼１１ａの平坦面に不陸調整板４２を接着する。このとき、不陸調整板４２の板厚と接着剤の塗布厚との総厚が、当該段差と略等しくなるよう接着剤を塗布すると良い。この結果、山形鋼１１ａの平坦面、及び不陸調整板４２によって、略一様な平坦面である「接着面」が形成される。（不陸調整板取付工程）
「接着面」に接着剤を塗布し、柱材１０にガセットプレート４１を接着固定する。また、他の柱材１０の所定位置にある「接着面」にもガセットプレート４１を接着固定する。このとき、柱材１０のうち斜材３１が設置される面内方向と略平行な面に、ガセットプレート４１を接着する。（ガセットプレート接着工程）
それぞれ柱材１０の内側に対向プレート４３を配置し、さらにガセットプレート４１と対向プレート４３の間（フランジがない隙間）にスペーサ４５を配置して、締付ボルト４４で締め付ける。（剥離防止工程）
一方の柱材１０に固定したガセットプレート４１のうち連結部に、斜材３１の一端を連結する。斜材３１の他端は、他方の柱材１０に固定したガセットプレート４１に連結する。このとき双方に設けられたボルト孔を利用し、一次締め、マーキング、本締めの手順で高力ボルトによる締付けを行う。（補強材連結工程）
以上の工程を行うことで、骨組構造が補強される。
【産業上の利用可能性】
【００４６】
本願発明の「骨組構造、及び骨組構造の補強方法」は、工場などの生産施設で利用できるほか、倉庫、体育館などあらゆる建造物で利用することができる。
【符号の説明】
【００４７】
１０    柱材
１１    構成部材
１１ａ  （構成部材としての）山形鋼
１１ｃ  （構成部材としての）溝形鋼
１２    中央プレート
１３    ボルト
１４    補強用の山形鋼
２０    梁材
３０    補強材
３１    斜材
３２    方杖材
４０    接合部
４１    ガセットプレート
４１ａ  （方杖材用ガセットプレートの）接着プレート
４１ｂ  （方杖材用ガセットプレートの）連結プレート
４２    不陸調整板
４３    （剥離防止手段の）対向プレート
４４    （剥離防止手段の）締付ボルト
４５    （剥離防止手段の）スペーサ
５０    高力ボルト
Ｂ      梁材
Ｃ      斜材
ＦＬ    床面
Ｇｐ    ガセットプレート
Ｐ      柱材
【図１】
2015151777.tif 000003
【図２】
2015151777.tif 000004
【図３】
2015151777.tif 000005
【図４】
2015151777.tif 000006
【図５】
2015151777.tif 000007
【図６】
2015151777.tif 000008
【図７】
2015151777.tif 000009
【図８】
2015151777.tif 000010
【図９】
2015151777.tif 000011